(57)【要約】【課題】ループフリープロトコルの適用、及びＬＡＮを構成するイーサネットスイッチの配置の最適化を行ない、リング構成のイーサネットＬＡＮを適用した最適な冗長性と経済性を有する電力系統制御保護システムを提供する。【解決手段】本発明は、ループフリープロトコルを実装した複数のネットワークスイッチ５−１〜５−ｎを有するリング型基幹ＬＡＮ６を設け、このリング型基幹ＬＡＮ６の各ネットワークスイッチ５−１〜５−ｎとツリー型支線ＬＡＮ７−１〜７−ｎ、７−ｘ〜７−ｚでそれぞれ接続された電力系統の監視、制御、保護のいずれかの機能を有する複数の装置を設ける。【選択図】      図１
2008092455.tif 000002
【特許請求の範囲】
【請求項１】
ループフリープロトコルを実装した複数のネットワークスイッチを有するリング型基幹ＬＡＮと、
前記複数のネットワークスイッチのうちの複数の第１のネットワークスイッチにツリー型支線ＬＡＮを介してそれぞれ接続された電力系統の監視、制御、保護のいずれかの機能を有する複数の制御保護装置と、
前記複数のネットワークスイッチのうちの第１のネットワークスイッチ以外の第２のネットワークスイッチにツリー型支線ＬＡＮを介して接続され、制御所からの前記複数の制御保護装置に対する監視制御情報を前記リング型基幹ＬＡＮを介して中継する遠方監視制御装置と、
前記第２のネットワークスイッチにツリー型支線ＬＡＮを介して接続され、前記リング型基幹ＬＡＮを介して、前記複数の制御保護装置の監視制御を行なう集中監視制御装置と
を具備することを特徴とする電力系統制御保護システム。
【請求項２】
ループフリープロトコルを実装した複数のネットワークスイッチを有するリング型基幹ＬＡＮと、
前記複数のネットワークスイッチのうちの複数の第１のネットワークスイッチにツリー型支線ＬＡＮを介してそれぞれ接続された電力系統の監視、制御、保護のいずれかの機能を有する複数の制御保護装置と、
前記複数のネットワークスイッチのうちの第１のネットワークスイッチ以外の第２のネットワークスイッチにツリー型支線ＬＡＮを介して接続され、制御所からの前記複数の制御保護装置に対する監視制御情報を前記リング型基幹ＬＡＮを介して中継し、かつ前記リング型基幹ＬＡＮを介して、前記複数の制御保護装置の監視制御を行なう多機能集中監視制御装置と
を具備することを特徴とする電力系統制御保護システム。
【請求項３】
前記第１のネットワークスイッチは、電気所内の送電線等の設備単位、電圧階級単位、装置種類単位、装置設置場所単位、運用単位、或いは保守単位ごとに設けられていることを特徴とする請求項１又は請求項２記載の電力系統制御保護システム。
【請求項４】
前記リング型基幹ＬＡＮは、２重リング構成であり、
前記ツリー型支線ＬＡＮは、1系列のツリー型ＬＡＮであることを特徴とする請求項１又は請求項２記載の電力系統制御保護システム。
【請求項５】
前記第２のネットワークスイッチを複数設け、前記遠方監視制御装置及び前記集中監視制御装置を前記複数の第２のネットワークスイッチに接続することにより、前記複数の制御保護装置を制御する系統を冗長化したことを特徴とする請求項１記載の電力系統制御システム。
【請求項６】
前記第２のネットワークスイッチ及び多機能集中監視制御装置を複数設け、前記各多機能集中監視制御装置を前記複数の第２のネットワークスイッチに接続することにより、前記複数の制御保護装置を制御する系統を冗長化したことを特徴とする請求項２記載の電力系統制御システム。
【請求項７】
前記第１のネットワークスイッチを複数有し、前記制御保護装置の系統を冗長化したことを特徴とする請求項１又は請求項２記載の電力系統制御システム。
【発明の詳細な説明】
【技術分野】
【０００１】
本発明は、電力系統制御保護システムに関する。
【背景技術】
【０００２】
発変電所等の電気所に設置され、電力系統の監視制御保護を行なう制御保護システムは、電気所の運用・保守に関する様々な機能に対応したサブシステムで構成されている。代表的なサブシステムとして、電気所の監視・運転を行なう監視制御システム、各種設備を保護する保護システム、機器の予防保全を行なう機器監視システム、進入監視等を行なう保安監視システムがある。
【０００３】
従来、これらのサブシステムは、独立した構成をとり、サブシステム間の情報授受は、主に、接点信号により代表信号の授受を行なう疎結合形態となっている場合が多い。また、サブシステム内では、サブシステムを構成する装置間を伝送で結合している場合もある。
【０００４】
一方、近年のディジタル技術、伝送技術の進展に伴い、各装置の小型化とともに、通信機能の実装も容易に可能となり、システムを構成する各装置、或いは、サブシステム間を伝送で結合し、様々な情報を授受することにより、情報の共有が可能となりつつある（特許文献１乃至特許文献３参照。）。
【０００５】
これにより、従来よりも、効率的、経済的な構成で同一機能の実現が可能となる他、性能向上、自動化機能の実現、新機能の付加が容易となり、最終的には電気所の運用・保守の高度化への対応も可能となると考えられている。
【０００６】
更に、電力自由化、規制緩和に伴う電気所のライフサイクルコスト低減の要求が高まる中、各サブシステムを伝送結合し情報共有化を可能とする電力系統制御保護システムのニーズが高まる傾向にある。
【０００７】
また、伝送方式に関しては、既に汎用技術となっているイーサネット（登録商標）ＬＡＮ(Local Area Network)が、変電所分野を含めた産業分野でも広く普及し、今後とも適用される動向にある。したがって、様々なサブシステムがイーサネットＬＡＮにより結合された新しい電力系統制御保護システムが、今後、適用拡大していく動向にある。
【特許文献１】特開２００６−０５００７９号公報
【特許文献２】特開２００３−１２４９５５号公報
【特許文献３】特開２００５−２１０８１８号公報
【発明の開示】
【発明が解決しようとする課題】
【０００８】
このような状況下において、イーサネットＬＡＮを適用した電力系統制御保護システムの最適なＬＡＮ構成、及びシステム構成の確立が急務となっている。イーサネットＬＡＮを適用する場合のＬＡＮ構成は、同報送信データがループしないようにツリー構成、またはスター構成とする必要があるが、この場合、一般的にリング構成に比べ、伝送路異常に対する冗長性、伝送ケーブル長における経済性の点において不利な面がある。
【０００９】
本発明は、上記実情に鑑みてなされたものであり、ループフリープロトコルの適用、及びＬＡＮを構成するネットワークスイッチの配置の最適化を行ない、リング構成のＬＡＮを適用した最適な冗長性と経済性を有する電力系統制御保護システムを提供することを目的とする。
【課題を解決するための手段】
【００１０】
本発明の第１の発明によれば、ループフリープロトコルを実装した複数のネットワークスイッチを有するリング型基幹ＬＡＮと、前記複数のネットワークスイッチのうちの複数の第１のネットワークスイッチにツリー型支線ＬＡＮを介してそれぞれ接続された電力系統の監視、制御、保護のいずれかの機能を有する複数の制御保護装置と、前記複数のネットワークスイッチのうちの第１のネットワークスイッチ以外の第２のネットワークスイッチにツリー型支線ＬＡＮを介して接続され、制御所からの前記複数の制御保護装置に対する監視制御情報を前記リング型基幹ＬＡＮを介して中継する遠方監視制御装置と、前記第２のネットワークスイッチにツリー型支線ＬＡＮを介して接続され、前記リング型基幹ＬＡＮを介して、前記複数の制御保護装置の監視制御を行なう集中監視制御装置とを具備することを特徴とする電力系統制御保護システム、である。
【００１１】
本発明の第２の発明によれば、ループフリープロトコルを実装した複数のネットワークスイッチを有するリング型基幹ＬＡＮと、前記複数のネットワークスイッチのうちの複数の第１のネットワークスイッチにツリー型支線ＬＡＮを介してそれぞれ接続された電力系統の監視、制御、保護のいずれかの機能を有する複数の制御保護装置と、前記複数のネットワークスイッチのうちの第１のネットワークスイッチ以外の第２のネットワークスイッチにツリー型支線ＬＡＮを介して接続され、制御所からの前記複数の制御保護装置に対する監視制御情報を前記リング型基幹ＬＡＮを介して中継し、かつ前記リング型基幹ＬＡＮを介して、前記複数の制御保護装置の監視制御を行なう多機能集中監視制御装置とを具備することを特徴とする電力系統制御保護システム。である。
【００１２】
本発明の第３の発明によれば、第１又は第２の発明において、前記第１のネットワークスイッチは、電気所内の送電線等の設備単位、電圧階級単位、装置種類単位、装置設置場所単位、運用単位、或いは保守単位ごとに設けられていることを特徴とする請求項１又は請求項２記載の電力系統制御保護システム、である。
【００１３】
本発明の第４の発明によれば、第１又は第２の発明において、前記リング型基幹ＬＡＮは、２重リング構成であり、前記ツリー型支線ＬＡＮは、1系列のツリー型ＬＡＮであることを特徴とする電力系統制御保護システム、である。
【００１４】
本発明の第５の発明によれば、第１の発明において、前記第２のネットワークスイッチを複数設け、前記遠方監視制御装置及び前記集中監視制御装置を前記複数の第２のネットワークスイッチに接続することにより、前記複数の制御保護装置を制御する系統を冗長化したことを特徴とする電力系統制御システム、である。
【００１５】
本発明の第６の発明によれば、第２の発明において、前記第２のネットワークスイッチ及び多機能集中監視制御装置を複数設け、前記各多機能集中監視制御装置を前記複数の第２のネットワークスイッチに接続することにより、前記複数の制御保護装置を制御する系統を冗長化したことを特徴とする電力系統制御システム、である。
【００１６】
本発明の第７の発明によれば、第１又は第２の発明において、前記第１のネットワークスイッチを複数有し、前記制御保護装置の系統を冗長化したことを特徴とする電力系統制御システム、である。
【発明の効果】
【００１７】
本発明によれば、ループフリープロトコルの適用、及びＬＡＮを構成するネットワークスイッチの配置の最適化を行ない、リング構成のＬＡＮを適用した最適な冗長性と経済性を有する電力系統制御保護システムを提供することができる。
【発明を実施するための最良の形態】
【００１８】
以下、図面を参照して本発明の実施の形態に係る電力系統制御保護システムについて説明する。
【００１９】
＜第１の実施の形態＞
図１は、本発明の第１の実施の形態に係る電力系統制御保護システムの構成を示す図である。
【００２０】
同図に示すように、リング型基幹ＬＡＮ（イーサネットＬＡＮ）６には、複数のイーサネットスイッチ５（５−１〜５−Ｎ）が接続されている。イーサネットスイッチ５−１にはツリー型支線ＬＡＮ８−１を介して遠方監視制御装置２が接続され、ツリー型支線ＬＡＮ８−２を介して集中監視制御装置３が接続されている。
【００２１】
また、イーサネットスイッチ５−２にはツリー型支線ＬＡＮ７−１を介して制御保護装置４−１が接続され、イーサネットスイッチ５−３にはツリー型支線ＬＡＮ７−２〜７−Ｎを介して制御保護装置４−２〜４−ｎがそれぞれ接続され、イーサネットスイッチ５−ｎにはツリー型支線ＬＡＮ７−ｘ〜７−ｚを介して制御保護装置４−ｘ〜４−ｚがそれぞれ接続されている。
【００２２】
遠方監視制御装置２は、制御所１からの監視制御情報を、リング型基幹ＬＡＮ６を介して、制御保護装置４（４−１〜４−ｎ、４−ｘ〜４−ｚ）に中継する。集中監視制御装置３は、制御保護装置４（４−１〜４−ｎ、４−ｘ〜４−ｚ）の監視制御を行なうことにより、電気所内の設備全体の監視制御を行なう。制御保護装置４（４−１〜４−Ｎ、４−ｘ〜４−ｚ）は、電気所内の設備の監視、制御、保護を行なう。イーサネットスイッチ５（５−１〜５−ｎ）は、ループフリープロトコルを実装し、イーサネットＬＡＮのデータ中継を行なう。
【００２３】
ここで、「ループフリープロトコル」とは伝送路を論理的にツリー構成とし、同報送信データのループを防止するように伝送経路を制御するプロトコルである。ループフリープロトコルは、伝送経路の異常時には、経路を再構築する。具体的なプロトコルとして、以下のものが挙げられる。
【００２４】
１．  ＳＴＰ(Spanning Tree Protocol)  (IEEE 802.1d)
イーサネットＬＡＮがループした場合、ブロードキャストストリーム（ブロードキャストパケットがループする現象）が発生し、伝送負荷を圧迫するため、これを防止すべくネットワークを論理的にツリー状にループすることにより防ぐ機能。ネットワーク異常時には、伝送経路の再構築を行なう。
【００２５】
２．  ＲＳＴＰ(Rapid Spanning Tree Protocol)  (IEEE 802.1w)
ＳＴＰよりも伝送経路の再構築時間を短縮化したプロトコルであり、ＳＴＰとの互換性がある。
【００２６】
このような構成によれば、イーサネット伝送適用の場合であっても、ループフリープロトコルを実装したインターネットスイッチ５（５−１〜５−ｎ）を使用して、ＬＡＮを構成することにより、リング型ＬＡＮを構成することが可能となる。
【００２７】
本実施の形態によれば、リング型基幹ＬＡＮ６をリング型構成とすることができ、一箇所の伝送路異常が発生した場合でも、ループフリープロトコルによる伝送経路の再確立が行なわれるため、伝送が遮断されることなくシステムの継続運用が可能となる。
【００２８】
したがって、一箇所の伝送が遮断されることにより、接続されている装置との伝送が遮断され、伝送路の再構築もなく、伝送が遮断されている状態が継続する従来のツリー構成、または、スター構成のイーサネットＬＡＮよりも冗長性の高いシステムの構築が可能となる。
【００２９】
また、イーサネットスイッチ５（５−１〜５−ｎ）を各装置の近傍へ配置することにより、ツリー型ＬＡＮ構成に対し、総伝送路長を短くすることができ、ケーブル量削減、及び経済性の面で有利なシステムを構築することができる。
【００３０】
さらに、各装置を基幹ＬＡＮ６へ接続する部分へツリー型支線ＬＡＮ構成を適用することにより、特殊なフリープロトコルを各装置へ実装する必要がなくなり、従来どおりのイーサネット伝送機能を有する装置を適用することができる利点もある。
【００３１】
なお、ツリー型支線ＬＡＮ７の異常時の影響範囲は、接続されている制御保護装置４（４−１〜４−ｎ、４−ｘ〜４−ｚ）に限定されるため、他の装置との伝送に影響を及ぼすことはない。
【００３２】
さらに、支線ＬＡＮ分岐用のイーサネットスイッチ５（５−１〜５−ｎ）を電気所内の送電線等の設備単位、電圧階級単位、装置種類単位、装置設置場所単位、運用単位、或いは保守単位など毎に設けることにより、イーサネットスイッチ５の異常時の影響範囲を極小化することができる。
【００３３】
したがって、本発明の実施の形態によれば、汎用技術として広く一般産業分野へ適用されているインターネット伝送を使用し、リング型基幹ＬＡＮ６とツリー型支線ＬＡＮ７とを組み合わせたＬＡＮ構成とすることにより、汎用伝送方式の適用による装置コストの低コスト化も可能となり、最終的には、信頼性及び経済性の面で最適なシステム構築が可能となる。
【００３４】
特に、電力系統制御保護システムにおいては、そのシステムの性質上、非常に高い信頼性が要求されることから、電力系統制御保護システムを構成するリング型基幹ＬＡＮ６及び電力系統の監視、制御、保護機能のいずれかが接続されたイーサネットスイッチ５にループフリープロトコルを採用することにより、異常時の影響範囲を最小限にすることは、通常のループフリープロトコルを適用したネットワークシステムに比して、その効果は顕著なものとなる。
【００３５】
＜第２の実施の形態＞
次に、本発明の第２の実施の形態に係る電力系統制御保護システムについて説明する。
【００３６】
図２は、本発明の第２の実施の形態に係る電力系統制御保護システムの構成を示す図である。なお、図１と同一部分には、同一符号を付してその説明を省略する。
【００３７】
本実施の形態においては、リング型基幹ＬＡＮ１１を２重リング型ＬＡＮ構成とし、２重ＬＡＮの両系ＬＡＮへ接続したイーサネットスイッチ５（５−１〜５−ｎ）を介して、制御保護装置４（４−１〜４−Ｎ、４−ｘ〜４−ｚ）を１系列のツリー型ＬＡＮで接続した構成としている。その他は、第１の実施の形態と同一の構成である。
【００３８】
本実施の形態によれば、システムの共通部分である基幹ＬＡＮ６を２重化することにより、システム全体に対し高い冗長性を得ることができる。また、第１の実施の形態と同様に、制御保護装置４（４−１〜４−ｎ、４−ｘ〜４−ｚ）へ接続される支線ＬＡＮ７（７−１〜７−ｎ、７−ｘ〜７−ｚ）は、１系列構成のため、特殊なループフリープロトコルの実装の必要がなく、簡素なソフト構成とすることができる。
【００３９】
＜第３の実施の形態＞
次に、本発明の第３の実施の形態に係る電力系統制御保護システムについて説明する。
【００４０】
図３は、本発明の第３の実施の形態に係る電力系統制御保護システムの構成を示す図である。なお、図１と同一部分には、同一符号を付してその説明を省略する。
【００４１】
本実施の形態においては、電気所全体の監視制御を行なう電気所共通装置である遠方監視制御装置２及び集中監視制御装置３を接続するための専用のイーサネットスイッチ５−１（５−１Ａ、５−１Ｂ）を設ける。
【００４２】
イーサネットスイッチ５−１Ａには、ツリー型支線ＬＡＮ８−１−１を介して遠方監視制御装置２が接続されるとともに、ツリー型支線ＬＡＮ８−２−１を介して集中監視制御装置３が接続される。
【００４３】
また、イーサネットスイッチ５−１Ｂには、ツリー型支線ＬＡＮ８−１−２を介して遠方監視制御装置２が接続されるとともに、ツリー型支線ＬＡＮ８−２−２を介して集中監視制御装置３が接続される。
【００４４】
遠方監視制御装置２及び集中監視制御装置３には、イーサネットスイッチが故障したことを検出する検出部と、この検出部によって一方のイーサネットスイッチの故障が検出された場合に、他方のイーサネットスイッチに切り替える切替部とがそれぞれ設けられている。これにより、電気所共通装置の基幹ＬＡＮ６への接続が維持される。なお、イーサネットスイッチの故障検出方法、イーサネットスイッチの切替方法については公知の技術であることから、ここでは詳述しない。
【００４５】
したがって、本実施の形態によれば、電気所全体の監視、運転を行なう電気所共通装置が接続されているイーサネットスイッチ５−１（５−１Ａ、５−１Ｂ）を設けたことにより、イーサネットスイッチが１台故障したことによる電気所共通機能の喪失という重大故障を防止することができ、平常運用を防止することができる。
【００４６】
＜第４の実施の形態＞
次に、本発明の第４の実施の形態に係る電力系統制御保護システムについて説明する。
【００４７】
図４は、本発明の第４の実施の形態に係る電力系統制御保護システムの構成を示す図である。なお、図１乃至図３と同一部分には、同一符号を付してその説明を省略する。
【００４８】
図４に示すように、基幹ＬＡＮ１１を二重リング型構成とし、電気所全体の監視制御を行なう電気所共通装置である遠方監視制御装置２及び集中監視制御装置３を接続するための専用のイーサネットスイッチ５−１を２つ（５−１Ａ、５−１Ｂ）設け、これらを基幹ＬＡＮ１１へ接続し、共通装置をこれらの２台のイーサネットスイッチ（５−１Ａ，５−１Ｂ）各々へ接続する構成としている。
【００４９】
本実施の形態によれば、第３の実施の形態の効果に加えて、リング型基幹ＬＡＮ６を２重化構成としたことにより、更に、冗長度の高いシステムを構築することができる。
【００５０】
また、図５に示すように、イーサネットスイッチ５−１Ａを２重リング型基幹ＬＡＮ１１の片系列へ接続し、イーサネットスイッチ５−１Ｂを他の系列へ接続し、制御保護装置４（４−１〜４−ｎ、４−ｘ〜４−ｚ）の接続用のイーサネットスイッチ５（５−２〜５−ｎ）は、２重リング基幹形ＬＡＮ１１の両系ＬＡＮへ接続する構成も可能であり、同様の効果を得ることができる。
【００５１】
＜第５の実施の形態＞
次に、本発明の第５の実施の形態に係る電力系統制御保護システムについて説明する。
【００５２】
図６及び図７は、本発明の第５の実施の形態に係る電力系統制御保護システムの構成を示す図である。なお、図１乃至図３と同一部分には、同一符号を付してその説明を省略する。図６においては、全てのイーサネットスイッチ５（５−１Ａ、…、５−ｎＡ、５−２Ｂ、…、５−ｎＢ）を冗長化した構成としている。
【００５３】
したがって、本実施の形態によれば、イーサネットスイッチを含め、全伝送路を冗長化構成とすることにより、第４の実施の形態に示す方式よりも、更に、信頼度の高いシステムを構築することができ、より重要度の高いシステムへの適用が可能となる。
【００５４】
また、図７に示すように、同一の装置が接続されるイーサネットスイッチの１台を２重リング型基幹ＬＡＮ１１の片系列へ接続し、他の１台を他のＬＡＮ系列へ接続する冗長化構成も可能であり、同様の効果を得ることができる。
【００５５】
＜第６の実施の形態＞
次に、本発明の第６の実施の形態に係る電力系統制御保護システムについて説明する。
【００５６】
図８及び図９は、本発明の第６の実施の形態に係る電力系統制御保護システムの構成を示す図である。なお、図１乃至図３と同一部分には、同一符号を付してその説明を省略する。
【００５７】
本発明の実施の形態においては、上述の実施の形態において説明した遠方監視制御装置２及び集中監視制御装置３の代わりに、これら双方の機能を有する多機能集中監視制御装置１５を設けたことにある。このように遠方監視制御装置２及び集中監視制御装置３双方の機能を有する多機能集中監視制御装置１５を設けることにより、イーサネットスイッチ５−１と制御所１との間に当該多機能集中監視制御装置１５を接続すれば電力系統制御保護システムの制御系統を実現することができる。したがって、遠方監視制御装置２及び集中監視制御装置３をそれぞれ別々に設ける場合に比して、電力系統制御保護システムの構成を簡素化することができる。
【００５８】
図９は、２つのイーサネットスイッチ５−１Ａ、５−１Ｂ及び複数の２つの多機能集中監視制御装置１５−１、１５−２を設け、制御系統を冗長化した例を示す図である。
【００５９】
同図に示すように、制御所１は多機能集中監視制御装置１５−１、１５−２に接続される。多機能集中監視制御装置１５−１はツリー型支線ＬＡＮ８−１−１、８−１−２を介して、イーサネットスイッチ１５−１、１５−２双方に接続され、多機能集中監視制御装置１５−２もツリー型支線ＬＡＮ８−２−１、８−２−２を介して、イーサネットスイッチ１５−１、１５−２双方に接続される。これにより、制御系統が冗長化される。
【００６０】
図８及び図９に示した例において、上述の実施の形態において説明したように、リング型基幹ＬＡＮを二重化（図２など）しても良いし、制御保護装置を冗長化（図６など）しても良いことはいうまでもない。
【００６１】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【００６２】
【図１】本発明の第１の実施の形態に係る電力系統制御保護システムの構成を示す図である。
【図２】本発明の第２の実施の形態に係る電力系統制御保護システムの構成を示す図である。
【図３】本発明の第３の実施の形態に係る電力系統制御保護システムの構成を示す図である。
【図４】本発明の第４の実施の形態に係る電力系統制御保護システムの構成を示す図である。
【図５】本発明の第４の実施の形態に係る電力系統制御保護システムの構成を示す図である。
【図６】本発明の第５の実施の形態に係る電力系統制御保護システムの構成を示す図である。
【図７】本発明の第５の実施の形態に係る電力系統制御保護システムの構成を示す図である。
【図８】本発明の第６の実施の形態に係る電力系統制御保護システムの構成を示す図である。
【図９】本発明の第６の実施の形態に係る電力系統制御保護システムの構成を示す図である。
【符号の説明】
【００６３】
１…制御所、２…遠方監視制御装置、３…集中監視制御装置、４−１〜４−ｎ、４−ｘ〜４−ｚ…制御保護装置、５−１〜５−ｎ…イーサネットスイッチ、６…リング型基幹ＬＡＮ、７−１〜７−Ｎ、７−ｘ〜７−ｚ…ツリー型支線ＬＡＮ、８−１−１、８−１−２、８−２−１、８−２−２…ツリー型支線ＬＡＮ、１１…リング型基幹ＬＡＮ、１５…多機能集中監視制御装置。
【図１】
2008092455.tif 000003
【図２】
2008092455.tif 000004
【図３】
2008092455.tif 000005
【図４】
2008092455.tif 000006
【図５】
2008092455.tif 000007
【図６】
2008092455.tif 000008
【図７】
2008092455.tif 000009
【図８】
2008092455.tif 000010
【図９】
2008092455.tif 000011